(57)【要約】【課題】本発明は服飾用係止具に関し、ゼッケン等の取付と取外しが迅速かつ確実に行えて操作性が良く、また一度取けると、脱落することなく堅牢に取付が行え、さらには服飾用として多用途に使用でき、さらには構造簡単であり、量産可能で、製作コストも安価になすのにある。【解決手段】平坦面を有する基盤部２の裏面側に係止部３ａを有するピン体部３が突成された取付部材１と、前記ピン体部３が係脱可能に係入される挿入孔５を有する合成樹脂製の止め具部材４とからなり、前記取付部材１の基盤部２と前記止め具部材４との間に布地その他の被挟持体Ｋが挟持されるようにしてなる服飾用係止具であって、前記止め具部材４には前記挿入孔５の周囲に該挿入孔５と連通させて分周的に複数個の切溝部６を形成すると共に各切溝部６間に薄肉部７を形成することにより、前記挿入孔５の周辺に可撓性を備えた係止爪片４Ａが形成されている。【選択図】図１
2005189647.tif 000002
【特許請求の範囲】
【請求項１】
平坦面を有する基盤部の裏面側に係止部を有するピン体部が突成された取付部材と、前記ピン体部が係脱可能に係入される挿入孔を有する合成樹脂製の止め具部材とからなり、前記取付部材の基盤部と前記止め具部材との間に布地その他の被挟持体が挟持されるようにしてなる服飾用係止具であって、前記止め具部材には前記挿入孔の周囲に該挿入孔と連通させて分周的に複数個の切溝部を形成すると共に各切溝部間に薄肉部を形成することにより、前記挿入孔の周辺に可撓性を備えた係止爪片が形成されていることを特徴とする服飾用係止具。
【請求項２】
平坦面を有する基盤部の裏面側に係止部を有するピン体部が突成された取付部材と、前記ピン体部が係脱可能に係入される挿入孔を有する合成樹脂製の止め具部材とからなり、前記取付部材の基盤部と前記止め具部材との間に布地その他の被挟持体が挟持されるようにしてなる服飾用係止具であって、前記止め具部材には前記挿入孔の周囲に該挿入孔と連通させて分周的に複数個の切溝部を形成すると共に各切溝部間の外周側に円弧状のスリットを形成することにより、前記挿入孔の周辺に可撓性を備えた係止爪片が形成されていることを特徴とする服飾用係止具。
【請求項３】
ピン体部に形成される係止部がピン体部を先端に至るにしたがって大径となるように逆台垂状に形成したものであることを特徴とする請求項１または２に記載の服飾用係止具。
【請求項４】
前記取付部材および／または止め具部材が、生分解合成樹脂により成形されたものであることを特徴とする請求項１,２,または３の何れかに記載された服飾用係止具。
【請求項５】
被挟持体に形成した挿通孔に取付部材のピン体を挿通して止め具部材との間に被挟持体を挟持する形式の係止具であることを特徴とする請求項１,２,３,又は４の何れかに記載の 服飾用係止具。
【請求項６】
被挟持体を取付部材のピン体で止め具部材の挿入孔に押し込むことにより挟持する形式の係止具であることを特徴とする請求項１,２,３,４又は５の何れかに記載の服飾用係止具。
【発明の詳細な説明】
【技術分野】
【０００１】
本発明は服飾用係止具に関し、例えばレース等の運動競技やイベントに用いるゼッケン、またスカーフ等を係止したり、バッジ、さらにはシャツの袖口を係止するカフスボタン等に最適に使用されるものである。
【背景技術】
【０００２】
従来、例えばマラソンやトラック競技、また運動会等の体育会系のイベント、各種室内競技等に使用されるゼッケンは、長方形に裁断された布帛、合成樹脂シート、不織布等により形成され、出場番号、主催者、後援者、スローガン等が印刷等されることにより表示されていた。
【０００３】
そして、ゼッケンの取付には、体操服の胸部または背部に糸を用いて縫付けたり、安全ピンを用いて係止したり、さらには糊を用いて貼着する等して取付けられていた。
【０００４】
しかしながら、糸を用いてゼッケンを体操服に縫付けたり、糊付けを行う上記従来方法は、取付と取外しに多くの時間と手間がかかり、また、安全ピンを用いて体操服等に取付けるものは、競技中に止金部からピン部の係合が外れ易く、思わぬ怪我を生ずる等、危険であった。
【０００５】
従って、これらの従来のゼッケン等の取付方法を改良する他の従来方法として、例えばゼッケンに装着される雌状の穴部を有する表面ホックと、ゼッケンが重ね合わされる体操服の裏面から前記表面ホックの穴部に嵌脱自在に嵌合させる雄状の係止部を有する裏面ホックとを用いてゼッケンを体操服に着脱自在に取り付けるという方法があった（特許文献１参照）。
【特許文献１】特開２００３−１５００６３号公報
【発明の開示】
【発明が解決しようとする課題】
【０００６】
しかしながら、特許文献１に記載の上記従来のゼッケン等の取付方法は、ゼッケンに装着される雌状の穴部を有する表面ホックと、雄状の係止部を有する裏面ホックとを用いてゼッケンと体操服とが重ね合わされた状態で体操服の裏面から前記表面ホックの穴部に裏面ホックの係止部を嵌入することによりゼッケンを体操服に着脱自在に取付けるものであるので、ゼッケンの取付時にはゼッケンと体操服とが邪魔して表面ホックの穴部に裏面ホックの係止部を嵌入するのを拒むため、取付には多くの時間と手間がかかり、非能率的であった。しかも表面ホックと裏面ホックとを完全な嵌合状態に達成することが難しいので、競技中に表面ホックから裏面ホックが脱嵌し易く、ゼッケンが外れ易いという欠点があった。
【０００７】
本発明は、上記従来の欠点を解決し、ゼッケン等の取付と取外しが迅速かつ確実に行えて操作性が良く、また一度取けると、脱落することなく堅牢に取付が行え、さらには服飾用として多用途に使用でき、さらには構造簡単であり、量産可能で、製作コストも安価な服飾用係止具を提供することを目的とする。
【課題を解決するための手段】
【０００８】
本発明は上記課題に鑑みなされ、請求項１に記載の発明は、平坦面を有する基盤部の裏面側に係止部を有するピン体部が突成された取付部材と、前記ピン体部が係脱可能に係入される挿入孔を有する合成樹脂製の止め具部材とからなり、前記取付部材の基盤部と前記止め具部材との間に布地その他の被挟持体が挟持されるようにしてなる服飾用係止具であって、前記止め具部材には前記挿入孔の周囲に該挿入孔と連通させて分周的に複数個の切溝部を形成すると共に各切溝部間に薄肉部を形成することにより、前記挿入孔の周辺に可撓性を備えた係止爪片が形成されていることを特徴とするという手段を採用した。
【０００９】
また、本発明の請求項２に記載の発明は、平坦面を有する基盤部の裏面側に係止部を有するピン体部が突成された取付部材と、前記ピン体部が係脱可能に係入される挿入孔を有する合成樹脂製の止め具部材とからなり、前記取付部材の基盤部と前記止め具部材との間に布地その他の被挟持体が挟持されるようにしてなる服飾用係止具であって、前記止め具部材には前記挿入孔の周囲に該挿入孔と連通させて分周的に複数個の切溝部を形成すると共に各切溝部間の外周側に円弧状のスリットを形成することにより、前記挿入孔の周辺に可撓性を備えた係止爪片が形成されていることを特徴とするという手段を採用した。
【００１０】
また、本発明の請求項３に記載の発明は、請求項１または２においてピン体部に形成される係止部がピン体部を先端に至るにしたがって大径となるように逆台垂状に形成したものであるという手段を採用した。
【００１１】
また、本発明の請求項４に記載の発明は、請求項１,２,または３の何れかにおいて、前記取付部材および／または止め具部材が、生分解合成樹脂により成形されたものであることを特徴とするという手段を採用した。
【００１２】
また、本発明の請求項５に記載の発明は、請求項１,２,３,又は４の何れかにおいて、被挟持体に形成した挿通孔に取付部材のピン体を挿通して止め具部材との間に被挟持体を挟持する形式の係止具であることを特徴とするという手段を採用した。
【００１３】
また、本発明の請求項６に記載の発明は、請求項１,２,３,４又は５の何れかにおいて、被挟持体を取付部材のピン体で止め具部材の挿入孔に押し込むことにより挟持する形式の係止具であることを特徴とするという手段を採用した。
【発明の効果】
【００１４】
本発明は、上記従来の欠点を解決し、取付と取外しが迅速かつ確実に行えて操作性が良く、また一度取けると、脱落することなく堅牢に取付が行え、さらには服飾用として多用途に使用でき、さらには構造簡単であり、量産可能で、製作コストも安価になる。
【発明を実施するための最良の形態】
【００１５】
以下、図面に従って本発明の実施の最良の形態により、本発明の詳細を説明する。
【００１６】
図１は本発明の服飾用係止具の実施形態１を示す分解斜視図、図２は同じく組付状態を示す拡大断面図、図３は同じく本実施形態１を構成する取付部材を示す拡大背面図、図４は同じく拡大側面図、図５は同じく本実施形態１を構成する止め具部材を示す拡大正面図、図６は同じく拡大断面図である。
【００１７】
本実施形態１は、平坦面を有する基盤部２の裏面側に係止部３ａを有するピン体部３が突成された取付部材１と、前記ピン体部３が係脱可能に係入される挿入孔５を有する合成樹脂製の止め具部材４とからなり、前記取付部材１の基盤部２と前記止め具部材４との間に布地その他の被挟持体Ｋ、例えば後記ゼッケン９と体操服１０とが挟持されるようにしてなる服飾用係止具であって、前記止め具部材４には前記挿入孔５の周囲に該挿入孔５と連通させて分周的に複数個、図１、図５では４個の切溝部６を形成すると共に各切溝部６間に薄肉部７を形成することにより、前記挿入孔５の周辺に可撓性を備えた４個の係止爪片４Ａが形成されている。
【００１８】
この実施形態１では、前記取付部材１を合成樹脂により成形するとともに、および前記止め具部材４を合成樹脂の可撓性材料により成形する。そして、この合成樹脂としては、好適には生分解合成樹脂が使用されることにより前記取付部材１と前記止め具部材４とは形成される。生分解合成樹脂としては、例えばポリビニールアルコール樹脂、ポリエチレン樹脂、ポリアミド樹脂、ポリエステル樹脂等があげられる。
【００１９】
また、前記基盤部２は、図示する実施形態１では平坦面を有する円盤状に形成されるが、図示するものは代表的な例示であり、その外形状はそのほか例えば四角形、菱形、五角形、六角形、八角形、花形、動物、植物等の外形の適宜形状に形成されるものでもよく、図示するものにとらわれない。
【００２０】
また、前記ピン体部３は、図示する実施形態では、先端部に至るに従って末端部よりも大径をなるように逆台垂状に形成されているが、これに限ることなく、図には示さないがピン体部３は柱状部をなし、しかも係止部３ａは該柱状部よりも径大の例えば円錐状や球状に形成されるものであってもよい。また、止め具部材４に設けられる前記挿入孔５と取付部材１に設けられる前記ピン体部３とは、横断面形状が挿入孔５の方がピン体部３よりも僅かに大きい相似形状であることが嵌入時にがたつきや緩みがなく取り付けることができる観点から望ましい。
【００２１】
また、前記切溝部６は、本実施形態１では、図５に示すように平面的に４個が十文字に止め具部材４に形成されているが、その設置長さｌは挿入孔５から外周側へ略半分以上に形成されることにより、基盤部２のピン体部３に止め具部材４を係止したり、またはこの止め具部材４をピン体部３から脱嵌したりする場合に、止め具部材４を形成する形成材料自体が発揮する可撓性に加えて充分な可撓性を直径方向および周方向に発揮させることにより嵌脱時の操作性を簡単かつ確実になしている。また、切溝部６の設置長さｌ、設置幅ｗの増減変更は止め具部材４に充分に可撓性を発揮するために、増減変更は自由に行える。
【００２２】
８は、前記止め具部材４の前記切溝部６,６相互間の内域に略同心円的に形成される円弧溝であり、この円弧溝８を形成するのは、前記切溝部６を形成することにより止め具部材４に可撓性を発揮するのに加えて止め具部材４に一層の可撓性を発揮させるためのものである。
【００２３】
９は被挟持体Ｋとしてのゼッケンであり、このゼッケン９は長方形に裁断された布帛、紙、不織布により形成され、表面には出場番号、主催者、後援者、スローガン等が印刷等の適宜手段により表示される。
【００２４】
本発明の実施形態１は以上の構成からなり、例えば布帛、紙、不織布により長方形に裁断して形成された被挟挟体Ｋとしてのゼッケン９を体操服１０に取付けるのには、先ず体操服１０の取付個所にゼッケン９を重ね合わす。そして、ゼッケン９の表面から取付部材１の基盤部２の裏面に設けられているピン体部３を内側に向けて押し当てる。次いで止め具部材４を体操服１０の裏面側から前記取付部材１に重合してゼッケン９と体操服１０とを重ね合わしたままピン体部３を止め具部材４に設けた挿入孔５内に嵌入する。
【００２５】
この際、止め具部材４には、挿入孔５の周囲に図５に示すように放射方向に向けて複数個、本実施形態１では４個の切溝部６が平面的に放射方向に向けて十文字に形成され、しかも切溝部６の設置長さｌは挿入孔５から外周側へ略半分以上に形成されるので、止め具部材４を形成するための形成材料自体が発揮する可撓性に加えて充分な可撓性が発揮される。従って、取付部材１の基盤部２に設けるピン体部３を止め具部材４に設ける挿入孔５内に嵌入することによりピン体部３の先端に設ける係止部３ａに止め具部材４を簡単かつ確実に係止して抜け止めをはかり、取付部材１に止め具部材４を取付けることができるとともに取付部材１と止め具部材４との間に被挟持体Ｋとしてのゼッケン９と体操服１０とを挟み込んで固定する。
【００２６】
こうした取付操作をゼッケン９の少なくとも上縁の左右２個所、また好ましくはゼッケン９の四隅に行うことにより被挟持具Ｋとしてのゼッケン９を体操服１０の前面および／または背面に取付ることができる。
【００２７】
また、ゼッケン９の取付後等においては、ピン体部３の先端に設ける係止部３ａに止め具部材４が係止されて抜け止めがはかられるとともに挿入孔５の周辺に設けられた複数個の係止爪４Ａにより周囲からピン体部３は弾力的に把持されることにより不用意な抜け出しが規制されるので、取付部材１と止め具部材４とにより固定されるゼッケン９がずれ動いたり、競技中やイベント中に外れることなく体操服１０に対して所定位置にゼッケン９を確実に取付ておくことができる。
【００２８】
また、競技等が終了した使用後においてゼッケン９を体操服１０から取外すのには、ゼッケン９と体操服１０とを重ね合わしたまま挿入孔５内に係入されているピン体部３を止め具部材４の挿入孔５から引き抜いて脱嵌する。
【００２９】
この際、取付部材１に対向する止め具部材４の切溝部６間に位置する個所には、薄肉部７が設けられることにより取付部材１との間に図２に示すように隙間ｔを生じているので、止め具部材４と取付部材１との間のこの間隙ｔ内に指の爪先等を容易に差し入れることができる。
【００３０】
そして、止め具部材４と取付部材１との間の間隙ｔ内に差し入れられる爪先等をさらに深く差し入れて止め具部材４と取付部材１との間の間隙ｔを拡げて行くと、前述のように止め具部材４の挿入孔５の周囲には放射方向に向けて本実施形態１では、図５に示すように平面的に４個の十文字の切溝部６が止め具部材４に形成され、その設置長さｌは挿入孔５から外周側へ略半分以上に形成されるので、止め具部材４は形成材料自体が発揮する可撓性に加えて直径方向および周方向に充分な可撓性が発揮されるため、取付部材１のピン体部３を止め具部材４の挿入孔５から係止部３ａの係止を解いて引き抜くことができる。こうしてゼッケン９を体操服１０の前面および／または背面から取外すことができる。
【００３１】
そして、取付部材１を形成する前記合成樹脂、および前記止め具部材４を形成する合成樹脂よりなる可撓性材料は、例えばポリビニールアルコール樹脂、ポリエチレン樹脂、ポリアミド樹脂、ポリエステル樹脂等の生分解合成樹脂により形成されるので、使用後に廃棄処分を行った場合にも環境を汚染することなく、処分が行える。また、ゼッケン９も、例えば布帛、紙等により形成されるものを用いれば環境を汚染することなく、廃棄することができる。
【００３２】
図７に示すものは本発明の実施形態２を示すものである。
【００３３】
前記実施形態１では取付部材１と止め具部材４とを用いて被挟持体Ｋとしての体操服１０にゼッケン９を取付るために用い、しかも取付部材１の基盤部２と止め具部材４とを円盤状に形成したものを使用しているが、本実施形態２では取付部材１と止め具部材４とを用いてバッジを形成するものである。
【００３４】
そして、この実施形態２のうち図７に示すバッジは、取付部材１の外形状が動物の顔に形成されているが、このほかにバッジとして取付部材１を形成する場合には例えば取付部材１の外形状が幾何学図形、花形、植物、動画の主人公等の適宜形状に形成されるものでもよく、図示するものにとらわれない。そして、取付部材１のピン体部３を衣服等の被挟持体Ｋに設けた挿通孔を介して挿入孔５内に係入することにより取付部材１を衣服の表面側に、また止め具部材４を衣服の裏面側に配置するようにして取付部材１と止め具部材４とで衣服を挟持してバッジとして使用するほかは、前記実施形態１と同様の構成、作用である。
【００３５】
また、図８に示すバッジは、バッジとして取付部材１の表面に印刷表示やラベルを貼着する等し、取付部材１のピン体部３を被挟持体Ｋに設けた挿通孔を介して被取付部材４の挿入孔５内に係入することにより取付部材１を衣服の表面側に、また被取付部材４を衣服の裏面側に配置するようにして取付部材１と止め具部材４とで衣服を挟持してバッジとして使用するほかは、前記実施形態１と同様の構成、作用である。
【００３６】
上記実施形態１では、取付部材１と止め具部材４とを用いてゼッケン９を体操服１０に取付ける場合の係止具について代表的に説明したが、本発明は上記説明に限ることなく、スカーフ、ワッペン、名札、旗、腕章等の係止具、さらにはカフスボタン等の服飾用係止具についても本発明の適用範囲である。
【産業上の利用可能性】
【００３７】
本発明はゼッケン等の取付と取外しが迅速かつ確実に行えて操作性が良く、また一度取けると、脱落することなく堅牢に取付が行え、さらには服飾用として、例えばゼッケン、スカーフ等を固定するための係止具、また被挟持体に形成した挿通孔に取付部材としてのピン体を挿通して止め具部材との間に被挟持体を挟持する形式の例えばバッチ、カフスボタン等の服飾用係止具等、多用途に使用でき、さらには構造簡単であり、量産可能で、製作コストも安価になるという分野・用途に適する。
【図面の簡単な説明】
【００３８】
【図１】図１は本発明の服飾用係止具の実施形態１を示す分解斜視図である。
【図２】図２は同じく組付状態を示す拡大断面図である。
【図３】図３は同じく本実施形態１を構成する取付具を示す拡大背面図である。
【図４】図４は同じく拡大側面図である。
【図５】図５は同じく本実施形態１を構成する止め具部材を示す拡大正面図である。
【図６】図６は同じく拡大断面図である。
【図７】本発明の服飾用係止具の実施形態２の一例を示す分解斜視図である。
【図８】同じく他例を示す分解斜視図である。
【符号の説明】
【００３９】
１    取付部材
２    基盤部
３    ピン体部
３ａ  係止部
４    止め具部材
４Ａ  係止爪体
５    挿入孔
６    切溝部
７    薄肉部
Ｋ    被挟持体
ｔ    間隙
【図１】
2005189647.tif 000003
【図２】
2005189647.tif 000004
【図３】
2005189647.tif 000005
【図４】
2005189647.tif 000006
【図５】
2005189647.tif 000007
【図６】
2005189647.tif 000008
【図７】
2005189647.tif 000009
【図８】
2005189647.tif 000010